(57)【要約】      （修正有）【課題】土や砂を畑に残し小石だけまたは落ち葉だけを取り除き、選別するための時間を省き労働的負担を小さくする農作業用アミ目板付きちりとりを提供する。【解決手段】前方と上方が開口されたちりとり本体１の側面３，４に長孔２０，２１が形成され、ちりとり本体１の底面と側面３，４を覆うように形成されたＵ字型金属板の底面に、前後方向に網目の異なる複数のアミ目板１４，１５を取り付け、Ｕ字型金属板の側面１０に設けたチョウボルト１６，１７，１８，１９がちりとり本体１の長孔２０，２１に挿入され、チョウボルト１６，１７，１８，１９が長孔２０，２１を移動することによりＵ字型金属板をちりとり本体１に対して前後方向に移動させ、ちりとり本体１の前端から突出するアミ目板１４，１５の長さに応じて網目を変化させる。【選択図】図４
0003194085.tif 000002
【実用新案登録請求の範囲】
【請求項１】
前方と上方が開口されたちりとり本体の側面に長孔が形成され、
前記ちりとり本体の底面と側面を覆うように形成されたＵ字型金属板の底面に、前後方向に網目の異なる複数のアミ目板を取り付け、
前記Ｕ字型金属板の側面に設けたチョウボルトが前記ちりとり本体の長孔に挿入され、
前記チョウボルトが前記長孔を移動することにより前記Ｕ字型金属板を前記ちりとり本体に対して前後方向に移動させ、前記ちりとり本体の前端から突出するアミ目板の長さに応じて網目を変化させるように構成した農作業用アミ目板付きちりとり。
【請求項２】
Ｕ字型金属板の底面に取り付けた複数のアミ目板は、ちりとり本体の前端側の網目を小さく、後端側の網目を大きくした請求項１に記載の農作業用アミ目板付きちりとり。
【考案の詳細な説明】
【考案の詳細な説明】
【技術分野】
【０００１】  この考案は、農家、一般家庭また幼稚園、小、中、高校、老人ホームや家庭菜園、公園又は、公共の諸施設等において農作業や清掃に使用するちりとりに関するものであり、特に選別行為の苦手な児童や手の動きが不自由になり、砂、小石や落ち葉など物の大小の選別が思うようにならない高齢者の使用を念頭にしたものである。
【背景技術】
【０００２】  従来のちりとりは砂と小石、落ち葉を両方いっしょに掃き集めていた。また従来のちりとりとしては、例えば特開２００７−１６００５９号公報（特許文献１）に示すものがある。この網ちりとりは無数の穴を開けたゴミ受けに握り手をつけた網ちりとりと、穴の開いていないゴミ受けに握り手をつけた普通ちりとりとからなるちりとりであって、網ちりとりの握り手と普通ちりとりの握り手は嵌合できるようになっており、普通ちりとりの上に網ちりとりを重合させる第１の使い方と、普通ちりとりの上に表裏逆にさせた網ちりとりである。【０００３】  網ちりとりの握り手と普通ちりとりの握り手は嵌合できるようになっており、普通ちりとりの上に網ちりとりを重合させて使用するので、網ちりとりに重量が大きい物を掃き入れると網ちりとりが歪んでしまったり、二つのちりとりをあわせた重量になり、握り手を持って操作しなければならないため握力が弱い児童、老人には筋力的負担が大きく、扱いづらかったりするところがある。また、網の大きさは固定されており、網目の小さなアミ目板を使用すると小さな砂が落ちて小石、落ち葉を集めたり、網目の大きなアミ目板にすると小石も落ちるので大きめの石と落ち葉だけを集めたりするといった収集する意図に応じた選択ができない面がある。【０００４】  特許文献１に示したもの以外にも、実開平０６−０３８８５６号公報（特許文献２）がある。この網付ちりとりは上段のちりとりと下段のちりとりとのそれぞれを独立のちりとりとして作成してこれを上下に重ね合わせて二階構造に構成し、そのための支持板を上段のちりとりの左右に付設してそれによって下段のちりとりを出入りのためのスライドを自在に上段のちりとりの下に支承させ得る構造とし、上段のちりとりの底面に網を設けてその網を通して砂礫などを下段のちりとり内に落とすことにより、枯葉などの主として可熱性物質を上段のちりとり上に残すことのできる構成としたことを特徴としている網ちりとりである。【０００５】  この網ちりとりの柄と普通ちりとりの柄は結合できるようになっており、普通ちりとりの上に網ちりとりをスライドさせて重合し使用するので、二つのちりとりをあわせた重量になり、柄を持って操作しなければならないため握力が弱い児童、老人には筋力的負担が大きく、扱いづらいところもある。また、網の大きさは固定されており、網目の小さなアミ目板を使用すると小さな砂が落ちて小石、落ち葉を集めたり、網目密度の大きなアミ目板にすると小石も落ちるので大きめの石と落ち葉だけを集めたりするといった収集する意図に応じた選択ができない面がある。
【先行技術文献】
【特許文献】
【０００６】
【特許文献１】特開２００７−１６００５９
【特許文献２】実開平６−３８８５６
【考案の概要】
【０００７】  ちりとり本体の側面に長孔を形成し、底面部外側に網目の違うアミ目板を付けたＵ字型金属板をチョウボルトで取り付け、ちりとり本体と一体化する。前記チョウボルトが前記長孔を移動することにより前記Ｕ字型金属板を前記ちりとり本体に対して前後方向に移動させ、前記ちりとり本体の前端から突出するアミ目板の長さに応じて網目を変化させるように構成した事を特徴とするちりとりである。網目密度の小さなアミ目板を使用すると小さな砂が落ちて小石、落ち葉を集められる。さらに、網目の大きなアミ目板にすると小石も落ちるので大きめの石と落ち葉だけを集められる。またアミ目板を収納した場合、不燃物、可燃物が同時に掃き集められる農作業用アミ目板付きちりとりである。
【考案が解決しようとする課題】
【０００８】  従来のちりとりで農作業や掃除をすると土、砂、小石、落ち葉をゴミ受けに入れるだけで、必要なものだけを選択して取り出す必要があり以下のような問題点がある。
イ、ちりとりで土や砂を畑に残し小石だけを取り除きたいが、選別するのに時間がかかる。
ロ、ちりとりで落ち葉を集めたいが土、砂、小石も一緒になってしまい堆肥にする必要な葉だけを集めにくい。
ハ、網付きの二重構造のちりとりで土や砂、小石、落ち葉をふるいながら選別収集したいがアミ目ちりとりが構造的に弱かったり、ちりとりの握り手、ちりとりの柄が細くちりとりを前後左右に振って選別収集したりし難い。
【問題を解決するための手段】
【０００９】  この考案のちりとりは上記従来の問題点を解決するために考えられたものである。
イ、ちりとり本体（１）の側面（３，４）に長孔（２０，２１）を形成し、ちりとり本体（１）の本体底面（５）外側に網目の違うアミ目板付きＵ字型金属板（８）を前後に自由自在に移動できるようにチョウボルト（１６，１７，１８，１９）で取り付けちりとり本体（１）と一体化する。網目の違うアミ目板（１４，１５）を移動し、網目の小さな網目板（１４）の部分を自由自在に引き出したり収納したりして土や砂を畑に残し小石だけを取り除くことができる農作業用アミ目板付きちりとりである。
ロ、ちりとり本体（１）の側面（３，４）に長孔（２０，２１）を形成し、底面（５）外側に網目密度の違うアミ目板付きＵ字型金属板（８）を前後に自由自在に移動できるようにチョウボルト（１６，１７，１８，１９）で取り付けちりとり本体（１）と一体化する。網目の違うアミ目板を移動し、網目の大きなアミ目板（１５）の部分を自由自在に引き出したり収納したりして土や砂、小石を畑に残し大きい石や落ち葉だけを取り除くことができる農作業用網目板付きちりとりである。
ハ、ちりとり本体（１）の側面（３，４）に長孔（２０，２１）形成し、底面（５）外側に網目密度の違うアミ目板付きＵ字型金属板（８）を自由自在に移動できるようにチョウボルト（１６，１７，１８，１９）で取り付けちりとりと一体化する。また、網目の小さいアミ目板の下に網目密度の大きいアミ目板を重ね、網目密度小さいアミ目板が歪まないように補強してある。網目の違うアミ目板を自由自在に引き出したり収納したりして土や砂、小石、落ち葉をふるいながら選別収集することができる農作業用アミ目板付きちりとりである。
【考案の効果】
【００１０】  上述の様に、本考案の農作業用アミ目板付きちりとりを使用すると、ちりとりに土、砂、小石、落ち葉を掃き入れるのと同時に上記の仕分けが行われ、仕分けたものを別個に取り出したり運搬したりすることが非常に楽に行われるとともに、網を設けていない普通のちりとりとしても使用でき、仕分けの必要のないゴミ用としても使用できる。
【図面の簡単な説明】
【００１１】
【図１】  本考案のちりとりの正面図である
【図２】  本考案のちりとりの裏面図である
【図３】  本考案のちりとりの側面図である
【図４】  本考案のちりとりの斜視図である
【図５】  本考案のアミ目板付きＵ字型金属板の正面図である
【図６】  本考案のアミ目板付きＵ字型金属板の裏面図である
【図７】  本考案のアミ目板付きＵ字型金属板の側面図である
【図８】  本考案のアミ目板付きＵ字型金属板の底面図である
【図９】  本考案のちりとりの底面図である
【考案を実施するための形態】
【００１２】  以下、考案を実施するための形態について説明する。
図３は本考案の側面図、図４は本考案の斜視図、図９は本考案の底面図であって、ちりとり本体（１）は、左右の側面（３，４）をチョウボルト（１６，１７，１８，１９）の軸の直径が挿入可能な幅で長孔（２０，２１）を形成する。ちりとり本体（１）の底面（５）外側に網目密度の違うアミ目板付きＵ字型金属板（８）を外側より左右各２本のチョウボルト（１６，１７，１８，１９）、補強のためチョウボルトを通す２個穴のあいた楕円形取り付け金具、アミ目板を付けたＵ字型金属板（８）、本体ちりとり、２個穴のあいた楕円形取り付け金具、ナットの順で取り付け本体と一体化する。アミ目板は前方が土、砂が落ちる程度の網目密度の小さいアミ目（１４）で、このアミ目板の下部から後方は、小石が落ちる程度の網目密度の大きなアミ目（１５）にし、網目密度の小さなアミ目板を補強する。アミ目板付きＵ字型金属板（８）は、本体ちりとり前方部（２）より全長の半分程度まで選別する物に応じて引き出し、左右各２本のチョウボルトとナットで固定することができる。
【実施例】
【００１３】  以下、図面に示す実施例について更に詳細に説明する。
図１は、本考案の正面図、図４は、本考案の斜視図、図８はアミ目板付きＵ字型金属板の底面図であって、本体のちりとり本体（１）は、左右の側面（３，４）をチョウボルト（１６，１７，１８，１９）の軸の直径が挿入可能な幅で、図８のアミ目板付きＵ字型金属板（８）が前後に自在に動くように長孔（２０，２１）を形成している。【００１４】  この穴は図３の本体の側面図、図４の本体の斜視図、図７のアミ目板付きＵ字型金属板の側面図で示すように、アミ目板付きＵ字型金属板（８）の全長の１／２が前方に引き出されたときに留まる位置まで長孔（２０，２１）を形成している。また、この長孔（２０，２１）は図３の側面図で示すように、図７のアミ目板付きＵ字型金属板の先端（１３）が本体裏面側（６）に収納され本体ちりとりの収集物取り入れ口先端（７）と重なったときに留まる位置まで形成している。本体底面から穴までの高さは、強度を向上させるため本体側面の３／４から１／２の間とする。【００１５】  図５は本考案のアミ目板付きＵ字型金属板の正面図、図６は本考案のアミ目板付きＵ字型金属板（８）の裏面図、図８は本考案のアミ目板付きＵ字型金属板（８）の底面図であって、アミ目板付きＵ字型金属板の前方のアミ目板は土、砂が落ちる程度の網目密度の小さいアミ目（１４）と補強のための網目の大きなアミ目（１５）で、後方は小石が落ちる程度の網目の大きなアミ目（１５）になっている。このアミ目板を四隅はＬ字型取り付け金具で、左右の間は長方形または楕円形取り付け金具で、表面から裏面に向かって取り付け金具、アミ目板（１４，１５）、アミ目板の大きさが開口しているＵ字型金属板（８）、取り付け金具の順にボルトとナットで固定している。【００１６】  図１の本体の正面図、図２の本体の裏面図、図８のアミ目板付きＵ字型金属板（８）の底面図で示すように、図８のアミ目板付きＵ字型金属板（８）の幅は、本体（１）の幅より２ｍｍ±１ｍｍ程長くなっている。また、アミ目板付きＵ字型金属板（８）の高さは、本体側面に形成した長孔（２０，２１）に取り付ける取り付け金具の幅より高く、本体側面（３，４）の高さより低くしている。【００１７】  図４の斜視図に示すチョウボルトをゆるめ土、砂、小石、落ち葉、ゴミのうちどれを選別収集するのかを決めたのち、アミ目板付きＵ字型金属板（８）を選別収集にあった位置に移動し再び固定する。アミ目板付きＵ字型金属板（８）を固定後、本考案の農作業用アミ目板付きちりとりを使用しながら作業を行うと、選別行為の苦手な児童や手の動きが不自由になり、土、砂、小石や落ち葉など物の大小の選別が思うようにならない高齢者でも目的物を選別収集できる。
【符号の説明】
【００１８】１  ちりとり本体
２  本体前方部
３  本体側面１
４  本体側面２
５  本体底面
６  本体裏面
７  収集物取り入れ口先端
８  アミ目板付きＵ字型金属板
９  アミ目板付きＵ字型金属板底面
１０  アミ目付きＵ字型金属板側面１
１１  アミ目付きＵ字型金属板側面２
１２  アミ目付きＵ字型金属板前方部
１３  アミ目板付きＵ字型金属板の先端
１４  網目の小さなアミ目板
１５  網目の大きなアミ目板
１６  チョウボルト１
１７  チョウボルト２
１８  チョウボルト３
１９  チョウボルト４
２０  本体側面長孔１
２１  本体側面長孔２
【図１】
0003194085.tif 000003
【図２】
0003194085.tif 000004
【図３】
0003194085.tif 000005
【図４】
0003194085.tif 000006
【図５】
0003194085.tif 000007
【図６】
0003194085.tif 000008
【図７】
0003194085.tif 000009
【図８】
0003194085.tif 000010
【図９】
0003194085.tif 000011